(57)【要約】【課題】利用者のゲート通過所要時間を均等にすることができると共に、外部者の記憶媒体を速やかに回収することができる入退場管理ゲートを提供する。【解決手段】入退場管理ゲート１０は、内部者識別データ又は外部者識別データが記憶される記憶媒体１１から識別データを読み取るリーダ部１３が設けられる複数のゲート本体１２ａ，１２ｂ，１２ｃと、外部者識別データが記憶される記憶媒体１１を回収する記憶媒体回収部２０と、リーダ部１３で読み取られた識別データを判別し複数のゲート本体１２ａ，１２ｂ，１２ｃを制御するゲート制御部３１と、記憶媒体回収部２０を制御する回収部制御部３２と、を備え、記憶媒体回収部２０は、ゲート本体１２ａ，１２ｂ，１２ｃとは別体で設けられ、ゲート本体１２ａ，１２ｂ，１２ｃより外部側に配置される。【選択図】図１
2008134895.tif 000002
【特許請求の範囲】
【請求項１】
内部者識別データ又は外部者識別データが記憶される記憶媒体から前記識別データを読み取るリーダ部が設けられる複数のゲート本体と、
外部者識別データが記憶される前記記憶媒体を回収する記憶媒体回収部と、
前記リーダ部で読み取られた識別データを判別し前記複数のゲート本体を制御するゲート制御部と、
前記記憶媒体回収部を制御する回収部制御部と、を備える入退場管理ゲートであって、
前記記憶媒体回収部は、前記ゲート本体とは別体で設けられ、前記ゲート本体より外部側に配置されることを特徴とする入退場管理ゲート。
【請求項２】
前記記憶媒体回収部には、記憶媒体投入口が設けられ、
前記リーダ部で前記外部者識別データが読み取られた場合は、
外部者に前記記憶媒体の返却案内を報知することを特徴とする請求項１に記載の入退場管理ゲート。
【請求項３】
前記記憶媒体回収部には、前記記憶媒体投入口を開閉する蓋部が設けられ、
前記リーダ部で前記外部者識別データが読み取られた場合は、
前記蓋部を一定時間開放することを特徴とする請求項１又は２に記載の入退場管理ゲート。
【請求項４】
前記記憶媒体回収部には、前記記憶媒体投入口からの前記記憶媒体の回収を検出する記憶媒体回収センサ、及び利用者の通過を検出する回収部通過センサが設けられ、
前記記憶媒体回収センサで前記記憶媒体の回収が検出されず、且つ前記回収部通過センサで外部者の通過が検出された場合は、
外部者に前記記憶媒体の返却警告を報知することを特徴とする請求項１〜３のいずれかに記載の入退場管理ゲート。
【発明の詳細な説明】
【技術分野】
【０００１】
本発明は、入退場管理ゲートに関し、ビルやマンションのエントランスホールや、展示場の出入口等に設置され、利用者の通行を管理する入退場管理ゲートに関する。
【背景技術】
【０００２】
従来の入退場管理ゲートの一例として、入退出口に設けられる扉と、利用者に係わる個人識別データが記憶される携帯情報記憶媒体を発行する登録装置と、登録装置から送られる個人識別データが記憶される記憶部、利用者が所持する携帯情報記憶媒体から個人識別データを読み取る情報読取部、読み取った個人識別データと同一の個人識別データが記憶部に記憶されているとき該利用者の退出を許可して蓋開放信号をカード回収部に送信する退出許可部を有するカードリーダ部と、蓋開放信号に従い蓋を移動して投入口を一旦開放状態にする投入口開閉部、投入口からの携帯情報記憶媒体の投入を検出するカードセンサ、携帯情報記憶媒体の投入が検出されるとき扉解錠信号を扉駆動装置に送信する扉解錠部を有するカード回収部と、扉解錠信号に基づいて扉を開くことができるように扉を解錠する扉駆動装置と、を備えるものが知られている（例えば、特許文献１参照）。
【０００３】
【特許文献１】特開２００５−３３６７３０号公報
【発明の開示】
【発明が解決しようとする課題】
【０００４】
しかしながら、上記特許文献１に記載の入退場管理ゲートでは、外部者が退場する場合、カードリーダ部にカードの識別データを読み取らせることにより、カード回収部の蓋部が開き、そのカード回収部にカードを投入して、カードセンサでカードの投入が検出されないと扉が開かないため、外部者のゲート通過に長い時間が掛かってしまい、利用者のゲート通過が集中すると、ゲートで渋滞が発生してしまうという課題があった。
【０００５】
本発明は、このような不都合を解消するためになされたものであり、その目的は、利用者のゲート通過所要時間を均等にすることができると共に、外部者の記憶媒体を速やかに回収することができる入退場管理ゲートを提供することにある。
【課題を解決するための手段】
【０００６】
本発明の上記目的は、下記の構成により達成される。
（１）  内部者識別データ又は外部者識別データが記憶される記憶媒体から識別データを読み取るリーダ部が設けられる複数のゲート本体と、外部者識別データが記憶される記憶媒体を回収する記憶媒体回収部と、リーダ部で読み取られた識別データを判別し複数のゲート本体を制御するゲート制御部と、記憶媒体回収部を制御する回収部制御部と、を備える入退場管理ゲートであって、記憶媒体回収部は、ゲート本体とは別体で設けられ、ゲート本体より外部側に配置されることを特徴とする入退場管理ゲート。
（２）  記憶媒体回収部には、記憶媒体投入口が設けられ、リーダ部で外部者識別データが読み取られた場合は、外部者に記憶媒体の返却案内を報知することを特徴とする（１）に記載の入退場管理ゲート。
（３）  記憶媒体回収部には、記憶媒体投入口を開閉する蓋部が設けられ、リーダ部で外部者識別データが読み取られた場合は、蓋部を一定時間開放することを特徴とする（１）又は（２）に記載の入退場管理ゲート。
（４）  記憶媒体回収部には、記憶媒体投入口からの記憶媒体の回収を検出する記憶媒体回収センサ、及び利用者の通過を検出する回収部通過センサが設けられ、記憶媒体回収センサで記憶媒体の回収が検出されず、且つ回収部通過センサで外部者の通過が検出された場合は、外部者に記憶媒体の返却警告を報知することを特徴とする（１）〜（３）のいずれかに記載の入退場管理ゲート。
【発明の効果】
【０００７】
本発明の入退場管理ゲートによれば、記憶媒体回収部は、ゲート本体とは別体で設けられ、ゲート本体より外部側に配置されるため、外部者はゲート通過後に記憶媒体を記憶媒体回収部に返却すればよいので、利用者のゲート通過所要時間を均等にすることができると共に、外部者の記憶媒体を速やかに回収することができる。
【発明を実施するための最良の形態】
【０００８】
以下、本発明に係る入退場管理ゲートの各実施形態について、図面を参照して詳細に説明する。なお、図面は符号の向きに見るものとする。また、以下の説明において、前後、左右、上下は、退場する利用者から見た方向に従い、図１及び図６の上側を外部側、下側を内部側とする。また、外部側とは、利用者が退場する側のことである。
【０００９】
（第１実施形態）
まず、図１〜図５を参照して、本発明に係る入退場管理ゲートの第１実施形態について説明する。
図１は本発明に係る入退場管理ゲートの第１実施形態を説明するための概略構成図、図２は図１に示す記憶媒体回収部のＡ−Ａ線矢視断面図、図３は第１実施形態のゲート本体の制御手順を説明するためのフローチャート、図４は第１実施形態の記憶媒体回収部の制御手順を説明するためのフローチャート、図５は記憶媒体回収部の変形例を説明するための要部断面図である。
【００１０】
本実施形態の入退場管理ゲート１０は、図１に示すように、内部者識別データ又は外部者識別データが記憶されるカード（記憶媒体）１１から識別データを読み取るカードリーダ部（リーダ部）１３が設けられる３個のゲート本体１２ａ，１２ｂ，１２ｃと、外部者識別データが記憶されるカード１１を回収するカード回収ボックス（記憶媒体回収部）２０と、カードリーダ部１３で読み取られた識別データを判別し３個のゲート本体１２ａ，１２ｂ，１２ｃを制御するゲート制御部３１と、カード回収ボックス２０を制御するボックス制御部（回収部制御部）３２と、を備える。また、本実施形態では、カード１１は、ＩＣカードであるが、これに限定されず、ＩＣタグ付きのネームプレートやバッジであってもよい。なお、本実施形態において、内部者とは、ビル内の会社の社員や、マンションの住人や、展示場の警備員などのカード１１を返却する必要がない利用者のことで、外部者とは、来訪者や来客などカード１１を返却する必要がある利用者のことである。
【００１１】
ゲート本体１２ａ，１２ｂ，１２ｃは、フレーム及びパネルを組み立てた箱状体であって、図１に示すように、カード１１から識別データを読み取るカードリーダ部１３と、ゲート本体１２ａ，１２ｂ，１２ｃを並べることにより形成される２本の通路１４，１４を開閉する扉部１５，１５・・と、ゲート本体１２ａ，１２ｂ，１２ｃ間の通路１４，１４を通過する利用者を検出するゲート通過センサ１６と、を備える。
【００１２】
カードリーダ部１３は、図１に示すように、ゲート本体１２ａ、１２ｂ，１２ｃの上面に設けられており、ゲート本体１２ａの上面前側に１個、ゲート本体１２ｂの上面前後側に１個ずつ、ゲート本体１２ｃの上面後側に１個配置される。なお、ゲート本体１２ａ、１２ｂの前側に設けられる２個のカードリーダ１３は入場用のカードリーダで、ゲート本体１２ｂ，１２ｃの後側に設けられる２個のカードリーダ１３は退場用のカードリーダである。
【００１３】
扉部１５は、図１に示すように、不図示の扉駆動装置を介してゲート本体１２ａ、１２ｂ，１２ｃの側面に回動可能に設けられており、ゲート本体１２ａの右側面に１個、ゲート本体１２ｂの左右側面に１個ずつ、ゲート本体１２ｃの左側面に１個配置される。
【００１４】
そして、本実施形態では、カード回収ボックス２０は、図１に示すように、ゲート本体１２ａ、１２ｂ，１２ｃとは別体で設けられ、ゲート本体１２ａ、１２ｂ，１２ｃより外部側（図１の上側）に配置される。
【００１５】
カード回収ボックス２０は、図２に示すように、円筒形状のボックス本体２１と、ボックス本体２１の上面に形成されるカード投入口（記憶媒体投入口）２２と、ボックス本体２１の上面に設けられる液晶表示部２３と、ボックス本体２１の左右側面にそれぞれ設けられ、利用者の通過を検出するボックス通過センサ（回収部通過センサ）２４と、ボックス本体２１内に設けられ、カード投入口２２からのカード１１の回収を検出するカード回収センサ（記憶媒体回収センサ）２５と、ボックス本体２１内に設けられ、カード１１の満杯を検出するカード満杯センサ２６と、を備える。
【００１６】
また、本実施形態では、図１に示すように、ゲート制御部３１は、制御室や警備室などに設けられ、配線１７ａを介してゲート本体１２ａ，１２ｂ，１２ｃと電気的に接続され、ボックス制御部３２は、カード回収ボックス２０内に内蔵され、配線１７ｂを介してゲート制御部３１と電気的に接続される。
【００１７】
次に、図３及び図４を参照して、本実施形態の入退場管理ゲート１０の利用者退場時の制御手順について説明する。
【００１８】
ステップ１０１では、ゲート制御部３１は、カードリーダ１３でカード１１の識別データ（内部者識別データ及び外部者識別データ）が検出されたか否かを判断する。そして、識別データが検出されたときはステップ１０２に進む。また、識別データが検出されないときはステップ１０１を繰り返す。
【００１９】
ステップ１０２では、ゲート制御部３１は、カードリーダ１３から送信されるカード１１の識別データを判別して、外部者識別データを検出する。そして、外部者識別データが検出されたときは外部者識別データをボックス制御部３２に送信して、ステップ１０３に進む。また、外部者識別データが検出されないとき、即ち、内部者識別データが検出されたときもステップ１０３に進む。なお、本ステップでは、ゲート制御部３１は、識別データを入力した利用者の退出を許可するか否かも判断している。
【００２０】
ステップ１０３では、ゲート制御部３１は、ゲート本体１２ａ、１２ｂ，１２ｃの不図示の扉駆動装置を作動させ、対応する通路１４の扉部１５，１５を開放させて、ステップ１０４に進む。
【００２１】
ステップ１０４では、ゲート制御部３１は、ゲート通過センサ１６で利用者のゲート通過が検出されたか否かを判断する。そして、ゲート通過が検出されたときはステップ１０５に進む。また、ゲート通過が検出されないときも一定時間経過後ステップ１０５に進む。
【００２２】
ステップ１０５では、ゲート制御部３１は、ゲート本体１２ａ、１２ｂ，１２ｃの不図示の扉駆動装置を作動させ、対応する通路１４の扉部１５，１５を閉鎖させて、ステップ１０１に戻る。
【００２３】
ステップ２０１では、ボックス制御部３２は、ゲート制御部３１から送信される外部者識別データが入力されたか否かを判断する。そして、外部者識別データが入力されたときはステップ２０２に進む。また、外部者識別データが入力されないときはステップ２０１を繰り返す。
【００２４】
ステップ２０２では、ボックス制御部３２は、カード回収ボックス２０の液晶表示部２３にカード１１の返却を促すメッセージを表示し、外部者にカード１１の返却案内を報知して、ステップ２０３に進む。
【００２５】
ステップ２０３では、ボックス制御部３２は、カード回収センサ２５でカード投入口２２からのカード１１の回収が検出されたか否かを判断する。そして、カード１１の回収が検出されたときはステップ２０４に進む。また、カード１１の回収が検出されないときはステップ２０６に進む。
【００２６】
ステップ２０４では、ボックス制御部３２は、液晶表示部２３に表示したカード１１の返却を促すメッセージを消去して、ステップ２０５に進む。
【００２７】
ステップ２０５では、ボックス制御部３２は、カード１１がカード回収ボックス２０に回収されたことを記憶して、ステップ２０１に戻る。
【００２８】
ステップ２０６では、ボックス制御部３２は、ボックス通過センサ２４で外部者のボックス通過が検出されたか否かを判断する。そして、ボックス通過が検出されたときは一定時間経過後ステップ２０７に進む。また、ボックス通過が検出されないときはステップ２０３に戻る。なお、ボックス通過とは、外部者がカード回収ボックス２０の周辺を通過することである。
【００２９】
ステップ２０７では、ボックス制御部３２は、ステップ２０５で記憶したカード回収記憶が有るか否かを判断する。そして、カード回収記憶が有るときはステップ２０８に進む。また、カード回収記憶が無いときはステップ２０９に進む。
【００３０】
ステップ２０８では、ボックス制御部３２は、ステップ２０５で記憶したカード回収記憶を消去して、ステップ２０１に戻る。
【００３１】
ステップ２０９では、ボックス制御部３２は、カード回収ボックス２０の液晶表示部２３にカード１１の返却を警告するメッセージを表示し、外部者にカード１１の返却警告を報知して、ステップ２１０に進む。
【００３２】
ステップ２１０では、ボックス制御部３２は、カード回収センサ２５でカード投入口２２からのカード１１の回収が検出されたか否かを判断する。そして、カード１１の回収が検出されたときはステップ２１１に進む。また、カード１１の回収が検出されないときも一定時間経過後ステップ２１１に進む。
【００３３】
ステップ２１１では、ボックス制御部３２は、液晶表示部２３に表示したカード１１の返却を警告するメッセージを消去して、ステップ２０１に戻る。
【００３４】
以上説明したように、本実施形態の入退場管理ゲート１０によれば、カード回収ボックス２０は、ゲート本体１２ａ，１２ｂ，１２ｃとは別体で設けられ、ゲート本体１２ａ，１２ｂ，１２ｃより外部側に配置されるため、外部者はゲート通過後にカード１１をカード回収ボックス２０に返却すればよいので、利用者のゲート通過所要時間を均等にすることができると共に、外部者のカード１１を速やかに回収することができる。
【００３５】
なお、本実施形態の変形例として、図５に示すように、カード返却ボックス２０内にカード１１を引き込むためのローラ装置４０を設けるようにしてもよい。この場合、利用者にカード１１を縦に挿入させるようにするため、カード投入口２２をスリット状に形成する。
【００３６】
本変形例によれば、カード返却ボックス２０内にカード１１を引き込むためのローラ装置４０を設けるため、カード１１がストラップやクリップ付きのカードホルダなどに収容されていたとしてもスムースに回収することができる。また、ローラ装置４０は、ゲート本体１２ａ，１２ｂ，１２ｃとカード回収ボックス２０が接近して配置されるなど、カード回収ボックス２０の奥行き寸法が確保できない場合、即ち、カード投入口２２が狭くなることによって、ストラップやクリップなどによりカード１１が途中で引っ掛かり易くなり、カード１１をスムースに回収できないような場合に特に有効である。
【００３７】
（第２実施形態）
次に、図６〜図８を参照して、本発明に係る入退場管理ゲートの第２実施形態について説明する。なお、上記第１実施形態と重複する部分については図に同一符号を付して説明を省略する。
図６は本発明に係る入退場管理ゲートの第２実施形態を説明するための概略構成図、図７は図６に示す記憶媒体回収部のＢ−Ｂ線矢視断面図、図８は第２実施形態の記憶媒体回収部の制御手順を説明するためのフローチャートである。
【００３８】
本実施形態の入退場管理ゲート５０は、図６に示すように、カード１１から識別データを読み取るカードリーダ部１３が設けられる２個のゲート本体１２ａ，１２ｃと、外部者識別データが記憶されるカード１１を回収するカード回収ボックス６０と、カードリーダ部１３で読み取られた識別データを判別し２個のゲート本体１２ａ，１２ｃを制御するゲート制御部３１と、カード回収ボックス６０を制御するボックス制御部３２と、を備える。
【００３９】
そして、本実施形態では、カード回収ボックス６０は、図６に示すように、ゲート本体１２ａ，１２ｃとは別体で設けられ、ゲート本体１２ａ，１２ｃより外部側（図６の上側）に配置される。
【００４０】
カード回収ボックス６０は、図７に示すように、円筒形状のボックス本体２１と、ボックス本体２１の上面に形成されるカード投入口２２と、ボックス本体２１の上面に設けられる液晶表示部２３と、ボックス本体２１の左右側面にそれぞれ設けられ、利用者の通過を検出するボックス通過センサ２４と、ボックス本体２１内に設けられ、カード投入口２２からのカード１１の回収を検出するカード回収センサ２５と、ボックス本体２１内に設けられ、カード１１の満杯を検出するカード満杯センサ２６と、ボックス本体２１に回動自在に支持され、カード投入口２２を開閉する蓋部６１と、蓋部６１を開閉させる蓋駆動装置６２と、を備える。なお、図７の符号６３は、蓋部６１の後端部（図７の右端部）を吊り上げるための吊バネである。
【００４１】
蓋駆動装置６２は、図７に示すように、ボックス本体２１の内周面に固定されるベースプレート６４と、ベースプレート６４の上面に取り付けられるソレノイド６５と、ソレノイド６５により回動され、蓋部６１を開閉する蓋開閉部材６６と、を備える。
【００４２】
蓋開閉部材６６は、略Ｖの字状に形成される板状部材であって、中央部がベースプレート６４の上端部に回動自在に支持され、一端部には蓋部６１の下面を支持するローラ部材６６ａが取り付けられ、他端部はソレノイド６５のプランジャ６５ａの上端部と回動自在に連結されている。また、蓋開閉部材６６の他端部は、ボックス本体２１内に吊設される吊ばね６７に吊り上げられている。
【００４３】
このように構成されたカード回収ボックス６０では、図７に示すように、ボックス制御部３２によりソレノイド６５のプランジャ６５ａが下方向に移動されることによって、蓋開閉部材６６が右回転方向に回動して、蓋部６１の下面とローラ部材６６ａとの係合が解除される。これにより、蓋部６１が左回転方向に回動して、蓋部６１が開放される。また、ソレノイド６５のプランジャ６５ａが上方向に移動されることによって、蓋開閉部材６６が左回転方向に回動して、蓋部６１の下面とローラ部材６６ａとが係合する。これにより、蓋部６１が右回転方向に回動し、蓋部６１の下面がローラ部材６６ａに支持されて、蓋部６１が閉塞される。
【００４４】
また、本実施形態では、図６に示すように、ゲート制御部３１は、制御室や警備室などに設けられ、配線１７ａを介してゲート本体１２ａ，１２ｃと電気的に接続され、ボックス制御部３２は、カード回収ボックス６０内に内蔵され、配線１７ｂを介してゲート制御部３１と電気的に接続される。
【００４５】
次に、図８を参照して、本実施形態の入退場管理ゲート５０の利用者退場時の制御手順について説明する。なお、ゲート本体１２ａ，１２ｃの制御手順については、第１実施形態と同様であるので説明を省略する。
【００４６】
ステップ３０１では、ボックス制御部３２は、ゲート制御部３１から送信される外部者識別データが入力されたか否かを判断する。そして、外部者識別データが入力されたときはステップ３０２に進む。また、外部者識別データが入力されないときはステップ３０１を繰り返す。
【００４７】
ステップ３０２では、ボックス制御部３２は、カード回収ボックス６０の液晶表示部２３にカード１１の返却を促すメッセージを表示し、外部者にカード１１の返却案内を報知して、ステップ３０３に進む。
【００４８】
ステップ３０３では、ボックス制御部３２は、カード回収ボックス６０の蓋駆動装置６２を作動させ、カード投入口２２の蓋部６１を開放させて、ステップ３０４に進む。
【００４９】
ステップ３０４では、ボックス制御部３２は、カード回収センサ２５でカード投入口２２からのカード１１の回収が検出されたか否かを判断する。そして、カード１１の回収が検出されたときはステップ３０５に進む。また、カード１１の回収が検出されないときはステップ３０８に進む。
【００５０】
ステップ３０５では、ボックス制御部３２は、カード回収ボックス６０の蓋駆動装置６２を作動させ、カード投入口２２の蓋部６１を閉鎖させて、ステップ３０６に進む。
【００５１】
ステップ３０６では、ボックス制御部３２は、液晶表示部２３に表示したカード１１の返却を促すメッセージを消去して、ステップ３０７に進む。
【００５２】
ステップ３０７では、ボックス制御部３２は、カード１１がカード回収ボックス６０に回収されたことを記憶して、ステップ３０１に戻る。
【００５３】
ステップ３０８では、ボックス制御部３２は、ボックス通過センサ２４で外部者のボックス通過が検出されたか否かを判断する。そして、ボックス通過が検出されたときは一定時間経過後ステップ３０９に進む。また、ボックス通過が検出されないときはステップ３０４に戻る。
【００５４】
ステップ３０９では、ボックス制御部３２は、ステップ３０７で記憶したカード回収記憶が有るか否かを判断する。そして、カード回収記憶が有るときはステップ３１０に進む。また、カード回収記憶が無いときはステップ３１１に進む。
【００５５】
ステップ３１０では、ボックス制御部３２は、ステップ３０７で記憶したカード回収記憶を消去して、ステップ３０１に戻る。
【００５６】
ステップ３１１では、ボックス制御部３２は、カード回収ボックス６０の液晶表示部２３にカード１１の返却を警告するメッセージを表示し、外部者にカード１１の返却警告を報知して、ステップ３１２に進む。
【００５７】
ステップ３１２では、ボックス制御部３２は、カード回収センサ２５でカード投入口２２からのカード１１の回収が検出されたか否かを判断する。そして、カード１１の回収が検出されたときはステップ３１３に進む。また、カード１１の回収が検出されないときも一定時間経過後ステップ３１３に進む。
【００５８】
ステップ３１３では、ボックス制御部３２は、液晶表示部２３に表示したカード１１の返却を警告するメッセージを消去して、ステップ３１４に進む。
【００５９】
ステップ３１４では、ボックス制御部３２は、カード回収ボックス６０の蓋駆動装置６２を作動させ、カード投入口２２の蓋部６１を閉鎖させて、ステップ３０１に戻る。
【００６０】
以上説明したように、本実施形態の入退場管理ゲート５０によれば、カード回収ボックス６０は、ゲート本体１２ａ，１２ｃとは別体で設けられ、ゲート本体１２ａ，１２ｃより外部側に配置されるため、外部者はゲート通過後にカード１１をカード回収ボックス６０に返却すればよいので、利用者のゲート通過所要時間を均等にすることができると共に、外部者のカード１１を速やかに回収することができる。
その他の構成及び作用効果については、上記第１実施形態と同様である。
【００６１】
なお、本発明は、上記実施形態に例示したものに限定されるものではなく、本発明の要旨を逸脱しない範囲において適宜変更可能である。
例えば、上記実施形態では、入退場管理ゲート１０にカード回収ボックス２０を１個配置する場合を例示したが、入退場管理ゲート１０の各通路１４にカード回収ボックス２０を配置してもよく、その配置数は任意である。また、通路１４の配置数も任意である。
また、上記実施形態では、カード返却案内報知及びカード返却警告報知を液晶表示部２３にメッセージを表示することにより行っているが、これに限定されず、音声ガイダンスやデジタル音などにより行ってもよく、これらを併用してもよい。
また、上記実施形態では、ゲート本体１２ａ，１２ｂ，１２ｃ、ゲート制御部３１、及びボックス制御部３２を配線１７ａ，１７ｂで接続して、有線で各種信号を送受信しているが、これらに電波や赤外線などの送受信機を設けて、無線で各種信号を送受信するようにしてもよい。
また、上記実施形態では、カード回収ボックス２０は、ゲート本体１２ａ，１２ｂ，１２ｃとは別体で設けられ、ゲート本体１２ａ，１２ｂ，１２ｃより外部側に配置されているが、ゲート本体１２ａ，１２ｂ，１２ｃと接するように配置されていてもよい。
【図面の簡単な説明】
【００６２】
【図１】本発明に係る入退場管理ゲートの第１実施形態を説明するための概略構成図である。
【図２】図１に示す記憶媒体回収部のＡ−Ａ線矢視断面図である。
【図３】第１実施形態のゲート本体の制御手順を説明するためのフローチャートである。
【図４】第１実施形態の記憶媒体回収部の制御手順を説明するためのフローチャートである。
【図５】記憶媒体回収部の変形例を説明するための要部断面図である。
【図６】本発明に係る入退場管理ゲートの第２実施形態を説明するための概略構成図である。
【図７】図６に示す記憶媒体回収部のＢ−Ｂ線矢視断面図である。
【図８】第２実施形態の記憶媒体回収部の制御手順を説明するためのフローチャートである。
【符号の説明】
【００６３】
１０，５０    入退場管理ゲート
１１          カード（記憶媒体）
１２ａ，１２ｂ，１２ｃ    ゲート本体
１３          カードリーダ部（リーダ部）
１４          通路
１５          扉部
１６          ゲート通過センサ
１７ａ，１７ｂ    配線
２０，６０    カード回収ボックス（記憶媒体回収部）
２１          ボックス本体
２２          カード投入口（記憶媒体投入口）
２３          液晶表示部
２４          ボックス通過センサ（回収部通過センサ）
２５          カード回収センサ（記憶媒体回収センサ）
２６          カード満杯センサ
３１          ゲート制御部
３２          ボックス制御部（回収部制御部）
６１          蓋部
６２          蓋駆動装置
【図１】
2008134895.tif 000003
【図２】
2008134895.tif 000004
【図３】
2008134895.tif 000005
【図４】
2008134895.tif 000006
【図５】
2008134895.tif 000007
【図６】
2008134895.tif 000008
【図７】
2008134895.tif 000009
【図８】
2008134895.tif 000010